(57)【要約】【課題】健康関連情報を適切に提供すること。【解決手段】本願に係る配信装置は、健康に関連するコンテンツを一覧表示する端末装置に、前記コンテンツの配信サービス以外であって利用者が利用するサービスに関する情報であって、前記コンテンツ間に差し込まれ、前記コンテンツとともに一覧表示されるサービス情報を配信する配信部、を備えたことを特徴とする。【選択図】図２
2018097605.tif 000002
【特許請求の範囲】
【請求項１】
健康に関連するコンテンツを一覧表示する端末装置に、前記コンテンツの配信サービス以外であって利用者が利用するサービスに関する情報であって、前記コンテンツ間に差し込まれ、前記コンテンツとともに一覧表示されるサービス情報を配信する配信部、
を備えたことを特徴とする配信装置。
【請求項２】
前記配信部は、前記サービス情報として、前記コンテンツの内容と関連する内容の情報を配信する
ことを特徴とする請求項１に記載の配信装置。
【請求項３】
前記配信部は、前記サービス情報として、一覧表示されるコンテンツのうち関連する内容のコンテンツと隣接する位置に差し込まれるサービス情報を配信する
ことを特徴とする請求項１または２に記載の配信装置。
【請求項４】
前記配信部は、前記サービス情報として、一覧表示されるコンテンツが所定の条件を満たす場合に前記コンテンツ間に差し込まれ、前記コンテンツとともに一覧表示されるサービス情報を配信する
ことを特徴とする請求項１〜３のうちいずれか１つに記載の配信装置。
【請求項５】
前記配信部は、前記コンテンツとして前記端末装置の利用者の健診結果に関連する情報を一覧表示する端末装置に、前記サービス情報を配信する
ことを特徴とする請求項１〜４のうちいずれか１つに記載の配信装置。
【請求項６】
前記配信部は、前記コンテンツとして健康に関連する記事の情報を一覧表示する端末装置に、前記サービス情報を配信する
ことを特徴とする請求項１〜４のうちいずれか１つに記載の配信装置。
【請求項７】
前記配信部は、前記サービス情報として健康に関連する記事の情報を配信する
ことを特徴とする請求項５に記載の配信装置。
【請求項８】
前記配信部は、前記サービス情報として前記端末装置の利用者の健診結果に関連する情報を配信する
ことを特徴とする請求項６に記載の配信装置。
【請求項９】
前記配信部は、前記サービス情報として前記端末装置の利用者を所定の位置まで案内するための情報を配信する
ことを特徴とする請求項１〜８のうちいずれか１つに記載の配信装置。
【請求項１０】
前記配信部は、前記サービス情報として前記端末装置の利用者を所定の位置まで案内する経路であって、当該利用者の健康に関する情報に基づいて選択された経路を示す情報を配信する
ことを特徴とする請求項９に記載の配信装置。
【請求項１１】
前記配信部は、前記サービス情報として前記端末装置の利用者の健康に関する情報を時系列に従って示す情報を配信する
ことを特徴とする請求項１〜１０のうちいずれか１つに記載の配信装置。
【請求項１２】
前記配信部は、前記サービス情報として前記端末装置の利用者以外の利用者が発信した健康に関する情報を配信する
ことを特徴とする請求項１〜１１のうちいずれか１つに記載の配信装置。
【請求項１３】
前記配信部は、前記サービス情報として前記端末装置の利用者に対して提案する商品または役務に関する情報であって、健康に関連する商品または役務に関する情報を配信する
ことを特徴とする請求項１〜１２のうちいずれか１つに記載の配信装置。
【請求項１４】
前記配信部は、前記サービス情報として前記端末装置の利用者の財産に関連する情報であって、前記端末装置の利用者の健康に関する情報に基づいて生成された情報を配信する
ことを特徴とする請求項１〜１３のうちいずれか１つに記載の配信装置。
【請求項１５】
前記配信部は、前記端末装置の利用者による一連の行動に基づいて、連鎖的に関連する一連のサービス情報を生成し、生成したサービス情報を配信する
ことを特徴とする請求項１〜１４のうちいずれか１つに記載の配信装置。
【請求項１６】
前記配信部は、前記コンテンツ間に差し込まれ、前記コンテンツとともに一覧表示される複数のサービス情報を配信する
ことを特徴とする請求項１〜１５のうちいずれか１つに記載の配信装置。
【請求項１７】
前記配信部は、前記サービス情報として、前記利用者が利用するサービスに関する情報であって、前記コンテンツ間に予め差し込まれ、前記コンテンツとともに一覧表示される情報を配信する
ことを特徴とする請求項１〜１６のうちいずれか１つに記載の配信装置。
【請求項１８】
配信装置が実行する配信方法であって、
健康に関連するコンテンツを一覧表示する端末装置に、前記コンテンツの配信サービス以外であって利用者が利用するサービスに関する情報であって、前記コンテンツ間に差し込まれ、前記コンテンツとともに一覧表示されるサービス情報を配信する配信工程
を含むことを特徴とする配信方法。
【請求項１９】
健康に関連するコンテンツを一覧表示する端末装置に、前記コンテンツの配信サービス以外であって利用者が利用するサービスに関する情報であって、前記コンテンツ間に差し込まれ、前記コンテンツとともに一覧表示されるサービス情報を配信する配信手順
をコンピュータに実行させることを特徴とする配信プログラム。
【発明の詳細な説明】
【技術分野】
【０００１】
本発明は、配信装置、配信方法、および配信プログラムに関する。
【背景技術】
【０００２】
近年、利用者に対して診断結果や健康に関連する記事等といった健康関連情報を通知する技術が提供されている。例えば、環境要因に基づいて健康診断の結果を評価し、評価した情報を提供する技術が知られている。
【先行技術文献】
【特許文献】
【０００３】
【特許文献１】特開２０００−０９９６０５号公報
【発明の概要】
【発明が解決しようとする課題】
【０００４】
しかしながら、上記の従来技術では利用者に健康関連情報を適切に提供しているとは言えない場合がある。
【０００５】
例えば、上記の従来技術では、健康診断の結果を評価した情報を利用者に提供しているに過ぎず、健康診断の結果に応じた対応を利用者に動機付けることができるとは言えない場合がある。
【０００６】
本願は、上記に鑑みてなされたものであって、利用者に対して健康関連情報を適切に提供することを目的とする。
【課題を解決するための手段】
【０００７】
本願に係る配信装置は、健康に関連するコンテンツを一覧表示する端末装置に、前記コンテンツの配信サービス以外であって利用者が利用するサービスに関する情報であって、コンテンツ間に差し込まれ、前記コンテンツとともに一覧表示されるサービス情報を配信する配信部、を備えたことを特徴とする。
【発明の効果】
【０００８】
実施形態の一態様によれば、利用者に対して健康関連情報を適切に提供することができるという効果を奏する。
【図面の簡単な説明】
【０００９】
【図１】図１は、実施形態に係る配信処理の一例を示す図である。
【図２】図２は、実施形態に係る配信装置の構成例を示す図である。
【図３】図３は、実施形態に係る健康コンテンツ情報記憶部の一例を示す図である。
【図４】図４は、実施形態に係る端末装置の構成例を示す図である。
【図５】図５は、実施形態に係るサービス情報を配信する処理の一例を示すフローチャートである。
【図６】図６は、実施形態に係るサービス情報を表示する処理の一例を示すフローチャートである。
【図７】図７は、実施形態に係る健康コンテンツとサービス情報とのバリエーションを示す第１の図である。
【図８】図８は、実施形態に係る健康コンテンツとサービス情報とのバリエーションを示す第２の図である。
【図９】図９は、実施形態に係る健康コンテンツとサービス情報とのバリエーションを示す第３の図である。
【図１０】図１０は、実施形態に係る健康コンテンツとサービス情報とのバリエーションを示す第４の図である。
【図１１】図１１は、実施形態に係る健康コンテンツとサービス情報とのバリエーションを示す第５の図である。
【図１２】図１２は、実施形態に係る健康コンテンツとサービス情報とのバリエーションを示す第６の図である。
【図１３】図１３は、配信装置の機能を実現するコンピュータの一例を示すハードウェア構成図である。
【発明を実施するための形態】
【００１０】
以下に、本願に係る配信装置、配信方法、および配信プログラムを実施するための形態（以下、「実施形態」と呼ぶ）について図面を参照しつつ詳細に説明する。なお、この実施形態により本願に係る配信装置、配信方法、および配信プログラムが限定されるものではない。また、以下の各実施形態において同一の部位には同一の符号を付し、重複する説明は省略される。
【００１１】
（実施形態）
〔１．配信処理〕
まず、図１を用いて、実施形態に係る配信処理の一例について説明する。図１は、実施形態に係る配信処理の一例を示す図である。図１に示す配信装置１００は、コンテンツとして、健康に関するコンテンツ（以下、「健康コンテンツ」と記載する。）を配信する配信サービスを提供する。例えば、配信装置１００は、健康コンテンツの配信先となる端末装置１０の利用者の健康診断の結果に関する情報（以下、「健診結果」と記載する。）を含む健康コンテンツを配信する処理の一例について説明するが、実施形態は、これに限定されるものではない。例えば、配信装置１００は、健康に関する記事を含むコンテンツや、画像を含むコンテンツや動画像を含むコンテンツなど種々のコンテンツを健康コンテンツとして配信してよい。
【００１２】
ここで、配信装置１００は、健康コンテンツを一覧表示する端末装置１０に、そのコンテンツの配信サービス以外であって利用者が利用するサービスに関する情報であって、コンテンツ間に差し込まれ、コンテンツとともに一覧表示されるサービス情報を配信する配信処理を実行する。以下、配信装置１０が実行する配信処理の一例について説明する。
【００１３】
図１に示すように、配信システム１は、端末装置１０と、外部装置５０と、配信装置１００とが含まれる。端末装置１０と、外部装置５０と、配信装置１００とは図示しない所定の通信網を介して、有線または無線により通信可能に接続される。なお、図１に示した配信システム１には、複数台の端末装置１０や、複数台の外部装置５０や、複数台の配信装置１００が含まれてもよい。なお、図１に示す例では、利用者Ｕ１に対して様々なサービスを提供する複数の外部装置を概念的に示す１つの外部装置５０を記載した。
【００１４】
端末装置１０は、利用者によって利用される情報処理装置である。端末装置１０は、利用者による操作を受け付ける。図１に示す例において端末装置１０は、利用者の操作により所定のブラウザアプリ（以下、単に「ブラウザ」とする場合がある）を起動する。そして、端末装置１０は、利用者の操作によりブラウザに表示する健康コンテンツを配信装置１００へ要求する。
【００１５】
例えば、端末装置１０は、胸囲、体重、血糖値、γＧＤＰの値、血圧の値等、端末装置１０を利用する利用者の健康診断の結果である健診結果を含む健康コンテンツを配信装置１００へ要求し、配信装置１００から配信された健康コンテンツを画面上に一覧表示する。より具体的には、端末装置１００は、健診結果を項目ごとに示す複数の健康コンテンツを画面上に並べて一覧表示する。なお、端末装置１０は、ブラウザに限らず、配信装置１００が配信する健康コンテンツを表示するためのアプリケーションにより健康コンテンツを表示してもよい。
【００１６】
このような端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がタッチパネル機能を有するスマートフォンである場合を示す。また、端末装置１０は、配信サービス以外であって利用者が利用するサービスに関するサービス情報を配信装置１００から受信する。例えば、端末装置１０は、利用者が利用するサービスにおいて利用者に対して通知される情報、すなわち、利用者が利用するサービスにおける通知情報をサービス情報として受信する。そして、端末装置１０は、受信したサービス情報を配信装置１００が配信する健康コンテンツとともに一覧表示する。また、以下では、端末装置１０を利用者と表記する場合がある。すなわち、以下では、利用者を端末装置１０と読み替えることもできる。
【００１７】
配信装置１００は、端末装置１０に健康コンテンツやサービス情報を配信するサービスを提供する情報処理装置である。図１に示す例において、配信装置１００は、端末装置１０から配信要求を受け付け、端末装置１０において起動されたブラウザ中のウェブページ（以下、単に「ページ」とする場合がある）に一覧表示される健康コンテンツを配信する。また、配信装置１００は、利用者へ通知する内容を含む健康コンテンツ以外のサービス情報であって、健康コンテンツとともに一覧表示されるサービス情報を端末装置１０に配信する。このような配信装置１００は、例えば、サーバ装置やクラウドシステム等により実現される。
【００１８】
外部装置５０は、配信装置１００が提供する配信サービス以外のサービスを提供する情報処理装置である。なお、外部装置５０は、配信装置１００が提供する配信サービス以外のサービスであれば、どのようなサービスを提供する情報処理装置であってもよい。例えば、外部装置５０は、ニュースや記事に関連する情報を提供するサービスや、電子商取引に関するサービス、地図情報を配信するサービス、若しくは、ＳＮＳ（Social  Networking  Service）、マイクロブログ、つぶやき等を提供するサービスを提供してもよい。
【００１９】
また、外部装置５０は、電子商取引に関連するサービス、メールサービス、天気予報サービス、若しくは利用者の健診結果を配信するサービスを提供してもよい。また、外部装置５０は、自動車、バイク、自転車、若しくは歩行等において所定の目的地までの経路を提供する案内サービスや、所定の目的地まで利用する公共交通機関を案内する乗換案内サービス等を提供してもよい。また、外部装置５０は、各種ポイントサービス、決済、家計簿の管理、投資、融資、保険等の利用者に関する各種の財産関連サービスを提供してもよい。なお、図１においては、ニュースや記事に関連する情報を提供する記事提供サービスや、電子商取引に関連するサービスを提供する外部装置５０からサービス情報を取得するものとする。
【００２０】
以下、図１を用いて、配信処理の一例を説明する。図１に示す例においては、利用者が利用者ＩＤ「Ｕ１」により識別される利用者（以下、「利用者Ｕ１」とする場合がある）である場合を示す。また、図１においては、利用者Ｕ１は、外部装置５０が提供する各種のサービスを利用中の利用者であるとする。
【００２１】
図１に示すように、利用者Ｕ１は端末装置１０で起動されたブラウザを操作し、配信装置１００にコンテンツの配信要求を送信する（ステップＳ１１）。例えば、図１においては図示を省略するが、利用者がブラウザのアドレスバーに配信装置１００のＵＲＬ（Uniform  Resource  Locator）を入力することにより、配信装置１００にコンテンツの配信を要求する。
【００２２】
端末装置１０から配信要求を受け付けた配信装置１００は、端末装置１０に配信装置１００が提供する配信サービスの健康コンテンツを配信する（ステップＳ１２）。そして、端末装置１０は、配信装置１００から受信した健康コンテンツを表示する（ステップＳ１３）。すなわち、端末装置１０は、ブラウザ中のページＷ１１に健康コンテンツを一覧表示する。図１に示す例においては、端末装置１０中のページＷ１１には、表示されたコンテンツが利用者Ｕ１の健診結果である旨を示す健康コンテンツＣＴ１１、利用者Ｕ１の身長を示す健康コンテンツＣＴ１２、利用者Ｕ１の体重が７０ｋｇ（キログラム）である旨を示す健康コンテンツＣＴ１３、および利用者の胸囲Ｕ１を示す健康コンテンツＣＴ１４が順に上下方向に並んで一覧表示される。このように、端末装置１０において、健康コンテンツＣＴ１１〜ＣＴ１４は所定の方向に並べて一覧表示される。具体的には、健康コンテンツＣＴ１１〜ＣＴ１４はスクロール方向（図１においては上下方向）に並べて表示される。
【００２３】
なお、ページＷ１１に表示された健康コンテンツＣＴ１１〜１４は、配信装置１００から端末装置１０へと配信された健康コンテンツの一部であり、利用者は端末装置１０の表示画面にタッチした指Ｆ１を下から上へ移動させる操作（以下、「フリック操作」とする場合がある）をすることにより、表示を下へスクロールさせて、下に続く残りの健康コンテンツを表示させることができる。例えば、図１に示す例では、配信装置１００は、利用者Ｕ１の血糖値を示す健康コンテンツＣＴ１５、および利用者Ｕ１のγ−ＧＴＰを示す健康コンテンツＣＴ１６等を配信しているものとする。
【００２４】
ここで、端末装置１０は、サービス情報を配信装置１００へ問い合わせる（ステップＳ１４）。図１に示す例において、端末装置１０は、外部装置５０が提供するサービスに関するサービス情報を配信装置１００へ問い合わせる。例えば、端末装置１０は、サービスを識別する情報や端末装置１０を利用する利用者を識別する情報を配信装置１００へ送信することにより、サービス情報を配信装置１００へ問い合わせる。
【００２５】
配信装置１００は、端末装置１０からサービス情報の問合せを受け付けた場合、問合せを受け付けたサービスを提供する外部装置５０に対し、端末装置１０を利用する利用者Ｕ１に関する情報を要求する（ステップＳ１５）。このような場合、外部装置５０は、端末装置１０を利用する利用者Ｕ１に関する情報を配信装置１００に送信する（ステップＳ１６）。外部装置５０から利用者Ｕ１に関する情報を受け付けた配信装置１００は、外部装置５０から受付けたサービスから健康コンテンツＣＴ１１〜ＣＴ１６とともに一覧表示するサービス情報、すなわち、利用者Ｕ１に関するサービス情報を生成し、生成したサービス情報を端末装置１０へ配信する（ステップＳ１７）。例えば、配信装置１００は、健康コンテンツＣＴ１１〜ＣＴ１４と同じ表示態様となるように生成したサービス情報を端末装置１０へ配信する。
【００２６】
ここで、配信装置１０がサービス情報を端末装置１０に送信する処理の一例について説明する。例えば、配信装置１００は、利用者Ｕ１の健診結果のうち、所定の条件を満たす健診結果を特定する。そして、配信装置１００は、血糖値の値が所定の基準値よりも高い場合は、血糖値が高い利用者に関連する情報を外部装置５０に要求する。すなわち、配信装置１００は、外部装置５０が提供するサービスに関連する情報であって、利用者Ｕ１に関連する情報を要求する。
【００２７】
一方、例えば、外部装置５０は、利用者Ｕ１に対して商品や役務に関する広告を配信するサービスを提供している場合、健康食品やサプリメント、ジムの入会案内等といった血糖値が高い利用者にお勧めする商品や役務の広告を利用者Ｕ１に関する情報として配信装置１００に送信する。そして、配信装置１００は、外部装置５０から受付けた情報からサービス情報ＮＣ１０を生成し、生成したサービス情報ＮＣ１０を、血糖値を示す健康コンテンツＣＴ１５と隣接する位置（例えば、健康コンテンツＣＴ１５の下側）に挿入するサービス情報として、端末装置１０へと送信する。すなわち、配信装置１００は、サービス情報として、健康コンテンツＣＴ１５の内容と関連する内容の情報を配信する。
【００２８】
また、配信装置１００は、利用者Ｕ１のγ−ＧＴＰの値が所定の基準値よりも高い場合は、γ−ＧＴＰの値が高い利用者に関連する情報を外部装置５０に要求する。このような場合、外部装置５０は、γ−ＧＴＰの値が高い利用者にお勧めする商品や役務の広告を配信装置１０へと送信する。ここで、配信装置１００は、例えば、利用者Ｕ１が利用するサービスであって、各種ポイントサービスを提供する外部装置５０に対し、利用者Ｕ１の情報を要求する。すなわち、配信装置１００は、端末装置１０の利用者Ｕ１の財産に関連するサービスを提供する外部装置５０から、利用者Ｕ１の財産に関連する情報であって、利用者Ｕ１の健康に関する情報を取得する。このような場合、外部装置５０は、利用者Ｕ１が有するポイントやポイントの有効期限等を送信する。
【００２９】
そして、配信装置１００は、外部装置５０から受付けた広告が示す商品の購入を利用者Ｕ１が有するポイントで行うことができるか否かを判定する。なお、配信装置１００は、例えば、有効期限までの期間が所定の期間よりも短いポイントで外部装置５０から受付けた広告が示す商品の購入を行うことができるか否かを判定してもよい。そして、配信装置１００は、外部装置５０から受付けた広告が示す商品の購入を利用者Ｕ１が有するポイントで行うことができる場合は、外部装置５０から受付けた広告に「残りポイントで買えます！」といったメッセージや、利用者Ｕ１のポイントで商品を購入するためのウェブコンテンツへのリンクが設定されたボタンであって、「ポイントで購入」等といったボタンが配置されたサービス情報ＮＣ１１を生成する。
【００３０】
そして、配信装置１００は、生成したサービス情報ＮＣ１１を、γ−ＧＴＰを示す健康コンテンツＣＴ１６と隣接する位置（例えば、健康コンテンツＣＴ１６の下側）に挿入するサービス情報として、端末装置１０へと送信する。すなわち、配信装置１００は、サービス情報として端末装置１０の利用者Ｕ１の財産に関連する情報であって、利用者Ｕ１の健康に関する情報に基づいて生成されたサービス情報を配信する。また、配信装置１００は、健康コンテンツＣＴ１５、ＣＴ１６間に差し込まれ、健康コンテンツＣＴ１５、ＣＴ１６とともに一覧表示される複数のサービス情報を配信する。
【００３１】
一方、利用者Ｕ１は、指Ｆ１を下から上へフリック操作を行う（ステップＳ１８）。これにより、端末装置１０中のページＷ１１には、健康コンテンツＣＴ１１〜ＣＴ１４の次の健康コンテンツが表示される（ステップＳ１９）。ここで、端末装置１０は、次に表示される健康コンテンツに、配信装置１００から配信されたサービス情報を割り込ませて表示する。すなわち、配信装置１００は、サービス情報として、利用者が利用するサービスに関する情報であって、健康コンテンツ間に予め差し込まれ、健康コンテンツとともに一覧表示される情報を配信する。この結果、端末装置１０は、健康コンテンツとともにサービス情報を一覧表示する。
【００３２】
例えば、図１に示す例において、端末装置１０中のページＷ１１には、コンテンツＣＴ１５、サービス情報ＮＣ１０、コンテンツＣＴ１６、サービス情報ＮＣ１１の順に上下方向に並んで一覧表示される。このように、端末装置１０において、サービス情報ＮＣ１０、ＮＣ１１がコンテンツＣＴ１５やコンテンツＣＴ１６の間に差し込まれて一覧表示される。
【００３３】
なお、上記の例におけるサービス情報の配信タイミングは一例であり、配信装置１００は、目的に応じて種々のタイミングでサービス情報を配信してもよい。例えば、配信装置１００は、ステップＳ１１において端末装置１０から配信要求を受け付けた際に、ステップＳ１５、Ｓ１６の処理を行い、ステップＳ１２において健康コンテンツを配信する際にサービス情報も併せて配信してもよい。すなわち、配信装置１００は、健康コンテンツを配信するタイミングでサービス情報を配信してもよいし、健康コンテンツの配信と異なるタイミングでサービス情報を配信してもよい。
【００３４】
なお、健康コンテンツを配信する情報処理装置と、サービス情報を配信する情報処理装置は別体であってもよい。例えば、所定のコンテンツ配信装置が健康コンテンツを配信し、配信装置１００や端末装置１０から要求を受け付けた配信装置１００が端末装置１０やコンテンツ配信装置にサービス情報を配信してもよい。例えば、コンテンツ配信装置は、端末装置１０から要求に応じて端末装置１０に健康コンテンツを配信し、サービス情報を配信装置１００に問い合わせてもよい。コンテンツ配信装置から問合せを受け付けた配信装置１００は、端末装置１０へ直接サービス情報を配信してもよい。
【００３５】
また、端末装置１０は、健康コンテンツとサービス情報との各々を別の装置から配信を受けてもよい。例えば、端末装置１０には、健康コンテンツがコンテンツ配信装置から配信され、配信装置１００からサービス情報が配信されてもよい。また、配信装置１００は、コンテンツ配信装置を介して端末装置１０へサービス情報を通知してもよい。すなわち、コンテンツ配信装置がサービス情報を問い合せした配信装置１００から受け付けた場合、コンテンツ配信装置は配信装置１００から受け付けたサービス情報を端末装置１０に配信する。この場合、配信装置１００と外部装置５０とが、一体であってもよい。
【００３６】
〔２．配信装置の構成〕
次に、図２を用いて、実施形態に係る配信装置１００の構成について説明する。図２は、実施形態に係る配信装置の構成例を示す図である。図２に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００３７】
通信部１１０は、例えば、ＮＩＣ（Network  Interface  Card）等によって実現される。そして、通信部１１０は、ネットワークと有線または無線で接続され、端末装置１０との間で情報の送受信を行う。
【００３８】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、健康コンテンツ情報記憶部１２１を有する。
【００３９】
（健康コンテンツ情報記憶部１２１）
実施形態に係る健康コンテンツ情報記憶部１２１は、健康コンテンツに関する各種情報を記憶する。図３は、実施形態に係る健康コンテンツ情報記憶部の一例を示す図である。図３に示す健康コンテンツ情報記憶部１２１は、「コンテンツＩＤ」、「コンテンツ」、「利用者ＩＤ（Identifier）」、「内容」といった項目を有する。
【００４０】
「コンテンツＩＤ」は、健康コンテンツを識別するための識別情報を示す。「コンテンツ」は、健康コンテンツとして表示される各種のデータを示す。図３では「コンテンツ」に「ＣＴ１１」といった概念的な情報が格納される例を示したが、実際には、利用者の健診結果を示すテキスト、静止画像、データ、ＵＲＬ、または、これらの格納場所を示すファイルパス名などが格納される。また、「利用者ＩＤ」は、対応付けられた「コンテンツＩＤ」が示す健康コンテンツが、どの利用者の健診結果であるかを示すコンテンツである。また、「内容」は、健康コンテンツの内容、すなわち、健診結果の内容を示す。
【００４１】
例えば、図３に示す例において、コンテンツＩＤ「Ｃ１１」により識別される健康コンテンツＣＴ１１は、利用者ＩＤ「Ｕ１」により識別される利用者の健診結果を示すコンテンツであり、その内容が「タイトル」である旨を示す。
【００４２】
なお、健康コンテンツ情報記憶部１２１は、上記に限らず、目的に応じて種々の情報を記憶してもよい。例えば、健康コンテンツ情報記憶部１２１は、健康コンテンツを取得した日時や健康コンテンツが作成された日時に関する情報を記憶してもよい。
【００４３】
（制御部１３０）
図２の説明に戻って、制御部１３０は、コントローラ（controller）であり、例えば、ＣＰＵ（Central  Processing  Unit）、ＭＰＵ（Micro  Processing  Unit）等のプロセッサによって、配信装置１０内部の記憶装置に記憶されている各種プログラムがＲＡＭ等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００４４】
図２に示すように、制御部１３０は、受付部１３１と、生成部１３２と、配信部１３３とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４５】
（受付部１３１）
受付部１３１は、外部の情報処理装置から配信要求を受け付ける。例えば、受付部１３１は、端末装置１０から配信要求を受け付ける。図１に示す例において、受付部１３１は、端末装置１０において動作するブラウザから健康コンテンツの配信要求や、サービス情報の問合せを受け付ける。なお、受付部１３１は、外部の情報処理装置から、健康コンテンツとして配信される情報の登録を受付けてもよい。例えば、受付部１３１は、健康診断を行う病院等の端末装置から、各利用者の健康診断の結果を示す健康コンテンツの登録を受付けてもよい。
【００４６】
（生成部１３２）
生成部１３２は、外部装置５０から受付けた情報に基づいて、サービス情報を生成する。例えば、生成部１３２は、サービス情報の問い合わせを受け付けた場合は、配信サービス以外の利用者Ｕ１が利用するサービスに関する情報を外部装置５０に要求する。例えば、生成部１３２は、利用者Ｕ１の属性に応じて広告を配信する外部装置５０や、利用者Ｕ１の各種ポイントを管理する外部装置５０等、利用者Ｕ１に対して各種サービスを提供する情報処理装置であって、配信装置１００が実行する配信サービス以外のサービスを提供する外部装置５０から、利用者Ｕ１に関連する情報を取得する。そして、生成部１３２は、取得した情報を用いて１つまたは複数のサービス情報であって、健康コンテンツ間に予め差し込まれ、健康コンテンツとともに一覧表示されるサービス情報を生成する。より具体的には、生成部１３２は、一覧表示される健康コンテンツのうち、関連する内容の健康コンテンツと隣接する位置に差し込まれるサービス情報を配信する。
【００４７】
例えば、生成部１３２は、健康コンテンツＣＴ１１〜ＣＴ１６を参照し、所定の条件を満たすコンテンツを抽出する。より具体的には、生成部１３２は、健康コンテンツＣＴ１１〜ＣＴ１６から所定の許容範囲を超える健診結果を示す健康コンテンツを抽出する。そして、生成部１３２は、健康コンテンツＣＴ１５が示す血糖値が所定の許容範囲を超える場合は、健康コンテンツＣＴ１５の内容に基づく広告を外部装置５０から取得し、取得した広告を用いて、健康コンテンツＣＴ１５と隣接する位置に挿入されるサービス情報ＮＣ１０を生成する。すなわち、生成部１３２は、健康コンテンツの内容と関連する内容の情報であって、一覧表示されるコンテンツが所定の条件を満たす場合に前記コンテンツ間に差し込まれ、健康コンテンツとともに一覧表示されるサービス情報を生成する。
【００４８】
また、例えば、生成部１３２は、健康コンテンツＣＴ１６が示すγ−ＧＴＰの値が所定の許容範囲を超える場合は、健康コンテンツＣＴ１６の内容と対応する内容の広告を外部装置５０から取得するとともに、利用者Ｕ１の保有ポイントを外部装置５０から取得する。そして、生成部１３２は、保有ポイントを用いて広告に関する商品を購入することができる場合は、ポイントを用いて広告に関する商品の購入を提案する情報であって、健康コンテンツＣＴ１６と隣接する位置に挿入されるサービス情報ＮＣ１１を生成する。
【００４９】
なお、生成部１３２が生成するサービス情報は、図１に示す情報に限定されるものではなく、任意の内容のサービス情報を生成してよい。例えば、生成部１３２は、それぞれ見た目が異なるサービス情報ＮＣ１０、ＮＣ１１を生成したが、例えば、表示サイズやレイアウトが類似する複数のサービス情報を生成してもよい。また、生成部１３２は、例えば、それぞれ異なる商品をポイントを用いて購入するよう提案する複数のサービス情報を生成してもよい。なお、生成部１３２が生成するサービス情報の他の例については、後述する。
【００５０】
（配信部１３３）
配信部１３３は、健康コンテンツの配信要求を受付けた場合は、要求元の端末装置１０を利用する利用者を特定し、特定した利用者の利用者ＩＤと対応付けられた健康コンテンツであって、一覧表示される健康コンテンツを健康コンテンツ情報記憶部１３１から読出し、読み出した健康コンテンツを要求元の端末装置１０へと送信する。
【００５１】
また、配信部１３３は、サービス情報の問合せを受付けた場合は、生成部１３２により生成された各種のサービス情報を端末装置１０へと送信する。すなわち、配信部１３３は、健康コンテンツを一覧表示する端末装置１０に、健康コンテンツの配信サービス以外であって利用者Ｕ１が利用するサービスに関する情報であって、健康コンテンツ間に差し込まれ、健康コンテンツとともに一覧表示されるサービス情報を配信する。
【００５２】
〔３．端末装置の構成〕
次に、図４を用いて、実施形態に係る端末装置１０の構成について説明する。図４は、実施形態に係る端末装置の構成例を示す図である。図４に示すように、端末装置１０は、通信部１１と、記憶部１２と、入力部１３と、出力部１４と、制御部１５とを有する。
【００５３】
（通信部１１）
通信部１１は、例えば、通信回路等によって実現される。そして、通信部１１は、図示しない所定の通信網と有線または無線で接続され、配信装置１００との間で情報の送受信を行う。
【００５４】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５５】
（入力部１３）
入力部１３は、利用者からの各種操作を受け付ける。例えば、入力部１３は、タッチパネル機能により表示面（例えば表示部１５３）を介して利用者からの各種操作を受け付けてもよい。また、入力部１３は、端末装置１０に設けられたボタンや、端末装置１０に接続されたキーボードやマウスからの各種操作を受け付けてもよい。
【００５６】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００５７】
（制御部１５）
制御部１５は、例えば、コントローラであり、例えば、ＣＰＵ、ＭＰＵ等のプロセッサによって、配信装置１０内部の記憶装置に記憶されている各種プログラムがＲＡＭ等を作業領域として実行されることにより実現される。また、制御部１５は、コントローラであり、例えば、ＡＳＩＣやＦＰＧＡ等の集積回路により実現されてもよい。例えば、制御部１５は、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。
【００５８】
図５に示すように、制御部１５は、要求部１５１と、受信部１５２と、表示部１５３とを有し、以下に説明する配信処理の機能や作用を実現または実行する。なお、制御部１５の内部構成は、図４に示した構成に限られず、後述する配信処理を行う構成であれば他の構成であってもよい。また、制御部１５が有する各処理部の接続関係は、図４に示した接続関係に限られず、他の接続関係であってもよい。
【００５９】
要求部１５１は、入力部１３により受け付けた利用者による各種の操作に従って、配信装置１００へ配信要求を送信する。例えば、要求部１５１は、起動したブラウザ等のアプリからの配信要求を配信装置１００へ送信する。また、要求部１５１は、サービス情報の問合せを要求する。
【００６０】
受信部１５２は、配信装置１００から配信された健康コンテンツを受信する。また、受信部１５２は、端末装置１０を利用する利用者へのサービス情報を受信する。また、受信部１５２は、受信した健康コンテンツやサービス情報を記憶部１２に格納してもよい。図４に示す例において、受信部１５２は、配信装置１００からサービス情報を受信する。なお、受信部１５２は、外部装置５０や通知装置からサービス情報を受信してもよい。
【００６１】
表示部１５３は、受信部１５２により受信されたサービス情報を所定のコンテンツとともに一覧表示する。具体的には、表示部１５３は、サービス情報を健康コンテンツとともに一覧表示する。例えば、表示部１５３は、健康コンテンツＣＴ１１〜ＣＴ１６をスクロール方向等の所定の方向に並べるとともに、サービス情報ＮＣ１０を健康コンテンツＣＴ１５と健康コンテンツＣＴ１６との間に挿入し、サービス情報ＮＣ１１を健康コンテンツＣＴ１６と後続する健康コンテンツとの間に挿入する。そして、表示部１５４は、健康コンテンツＣＴ１１〜ＣＴ１４を一覧表示するとともに、スクロール操作やフリック操作が行われた場合は、健康コンテンツＣＴ１５、サービス情報ＮＣ１０、健康コンテンツＣＴ１６、およびサービス情報ＮＣ１１を表示する。
【００６２】
なお、表示部１５３は、健康コンテンツやサービス情報の各々を複数の表示形式のいずれかで表示してもよい。この場合、表示部１５３は、サービス情報を複数の表示形式から選択した表示形式で表示する。また、表示部１５３は、健康コンテンツを所定の表示形式により表示する。この場合、表示部１５３は、コンテンツと同じ表示形式でサービス情報を表示する。
【００６３】
なお、上述した制御部１５による処理は、例えば、健康コンテンツやページＷ１１とともに配信されるＪａｖａＳｃｒｉｐｔ（登録商標）などのスクリプトやプログラムといった制御情報により実現されてもよい。また、上述した処理が所定のアプリケーションにより行われる場合や選択処理が専用アプリにより行われる場合、制御部１５は、例えば、所定のアプリや専用アプリを制御するアプリ制御部を有してもよい。
【００６４】
〔４．配信処理のフロー〕
次に、図５及び図６を用いて、実施形態に係る配信システム１による配信処理の手順について説明する。まず、図５を用いて配信装置１００におけるサービス情報の配信までの処理の流れを示す。図５は、実施形態に係るサービス情報を配信する処理の一例を示すフローチャートである。
【００６５】
図５に示すように、配信装置１００の受付部１３１は、端末装置１０から配信要求を受け付ける（ステップＳ１０１）。続いて、配信装置１００の配信部１３３は、端末装置１０へ健康コンテンツを配信する（ステップＳ１０２）。そして、受付部１３１は、端末装置１０からサービス情報の問合せを受け付ける（ステップＳ１０３）。なお、ステップＳ１０３は、ステップＳ１０１と同じタイミングで行われてもよいし、ステップＳ１０１の配信要求がサービス情報の問合せを含んでもよい。
【００６６】
サービス情報の問合せを受け付けた配信装置１００は、生成部１３２または配信部１３３により、広告の配信やポイントの管理を行う外部装置５０に、端末装置１０を利用する利用者に関する情報を要求する（ステップＳ１０４）。その後、受付部１３１は、外部装置５０から利用者に関する情報を受け付ける（ステップＳ１０５）。
【００６７】
そして、生成部１３２は、ステップＳ１０５において受け付けた利用者に関する情報に基づいて、サービス情報を生成する（ステップＳ１０６）。その後、配信部１３３は、サービス情報を端末装置１０へ配信する（ステップＳ１０７）。なお、配信部１３３は、ステップＳ１０２において健康コンテンツとともにサービス情報を端末装置１０へ配信してもよい。
【００６８】
次に、図６を用いて端末装置１０におけるサービス情報の表示までの処理の流れを示す。図６は、実施形態に係るサービス情報を表示する処理の一例を示すフローチャートである。
【００６９】
図６に示すように、端末装置１０の要求部１５１は、配信装置１００へ配信要求を送信する（ステップＳ２０１）。その後、端末装置１０の受信部１５２は、配信装置１００から健康コンテンツを受信する（ステップＳ２０２）。そして、端末装置１０の表示部１５３は、配信装置１００から受信した健康コンテンツを表示する（ステップＳ２０３）。
【００７０】
そして、要求部１５１は、所定のタイミングでサービス情報の問合せを行う（ステップＳ２０４）。なお、ステップＳ２０４は、ステップＳ２０１と同じタイミングで行われてもよいし、ステップＳ２０１の配信要求がサービス情報の問合せを含んでもよい。その後、受信部１５２は、サービス情報を受信する（ステップＳ２０５）。なお、受信部１５２は、ステップＳ２０２においてコンテンツとともにサービス情報を受信してもよい。
【００７１】
また、表示部１５３は、スクロール操作やフリック操作により表示する健康コンテンツを変更するか否かを判定し（ステップＳ２０６）、変更する場合（ステップＳ２０６：Ｙｅｓ）、健康コンテンツ中の対応する位置にサービス情報を挿入して表示する（ステップＳ２０７）。なお、表示する健康コンテンツを変更しない場合（ステップＳ２０６：Ｎｏ）、ステップＳ２０６の判定を繰り返す。
【００７２】
〔５．変形例〕
上述した実施形態に係る配信装置１００は、上記実施形態以外にも種々の異なる形態にて実施されてよい。そこで、以下では、配信装置１００の他の実施形態について説明する。
【００７３】
〔５−１．健康コンテンツの内容とサービス情報の内容とについて〕
上述した実施形態においては、配信装置１００は、利用者Ｕ１の健診結果を示す健康コンテンツと、利用者Ｕ１に対して商品や役務を広告する内容のサービス情報とを配信した。しかしながら、実施形態は、これに限定されるものではない。すなわち、配信装置１００は、健康に関連する情報であれば、任意の情報を健康コンテンツとして表示してよい。例えば、配信装置１００は、健康コンテンツとして表示される情報の種別に応じて、サービス情報として配信する情報の種別を選択してもよい。また、配信装置１００は、健康コンテンツを配信する配信サービス以外のサービスに関する情報であれば、任意の情報をサービス情報として配信してよい。
【００７４】
以下、配信装置１００が配信する健康コンテンツやサービス情報のバリエーションについて説明する。なお、以下に示す健康コンテンツやサービス情報のバリエーションについては、任意の組み合わせが適用可能であり、配信装置１００は、様々な種別の内容の健康コンテンツやサービス情報を同時に配信してもよい。また、配信装置１００は、健康コンテンツに挿入して表示されるサービス情報であれば、広告に関連する内容のサービス情報のみならず、利用者Ｕ１に対する単純な通知等、任意の内容のサービス情報を配信してよい。
【００７５】
〔５−１−１．記事を示す健康コンテンツ〕
例えば、配信装置１００は、健康に関連するニュース等の記事の情報を健康コンテンツとして配信し、端末装置１０に一覧表示させてもよい。例えば、配信装置１００は、ブログやニュースフィード等として配信される記事の中から、健康に関連する記事を収集し、収集した記事を健康コンテンツとして端末装置１０に配信してもよい。
【００７６】
ここで、配信装置１００は、配信サービス以外のサービスにおける利用者Ｕ１の情報であれば、任意の情報に基づく任意のサービス情報を配信してよい。例えば、配信装置１００は、サービス情報として、端末装置１０の利用者Ｕ１の健診結果に関連する情報を配信してもよい。
【００７７】
例えば、図７は、実施形態に係る健康コンテンツとサービス情報とのバリエーションを示す第１の図である。例えば、外部装置５０は、利用者Ｕ１に対して各種の記事を配信するサービスを提供する外部装置５０から、各種の記事を取得する。そして、配信装置１００は、収集した記事の中から「健康的な食生活をめざす！」、「今日から３０分のウォーキング！」、「ダイエットに効く入浴法！」等といった健康に関連する記事を抽出し、抽出した記事のタイトルや写真を配置するとともに、対応する記事へのリンクが設定された健康コンテンツＣＴ２１〜ＣＴ２３を生成する。そして、配信装置１００は、生成した健康コンテンツＣ２１〜Ｃ２３を端末装置１０に配信する。
【００７８】
また、配信装置１００は、利用者Ｕ１の健診結果を管理する外部装置５０から利用者Ｕ１の健診結果を取得し、健診結果から所定の条件を満たす項目を特定する。そして、配信装置１００は、健康コンテンツＣＴ２１〜ＣＴ２３のうち、特定した項目と関連する内容の健康コンテンツを特定し、特定した健康コンテンツと隣接する位置に表示するサービス情報として、特定した項目を示す情報を生成する。
【００７９】
例えば、配信装置１００は、健診結果に含まれる項目のうち、利用者Ｕ１の体重が所定の許容範囲を超える場合は、利用者Ｕ１の体重を示すサービス情報ＮＣ１２を生成する。例えば、図７に示す例では、配信装置１００は、「前回のあなたの体重  ８５ｋｇ」等といった利用者Ｕ１の体重を示すサービス情報ＮＣ１２を生成する。また、配信装置１００は、健康コンテンツＣＴ２１〜ＣＴ２３から、体重に関連する内容の記事を示す健康コンテンツとして、健康コンテンツＣＴ２２を特定する。なお、このような特定手法は、公知の意味解析技術を用いて実現可能である。
【００８０】
そして、配信装置１００は、健康コンテンツＣＴ２２の下に配置されるサービス情報として、サービス情報ＮＣ１２を配信する。この結果、端末装置１０は、図７に示すように、ページＷ１２上に、健康コンテンツＣＴ２１、ＣＴ２２、サービス情報ＮＣ１２、および健康コンテンツＣＴ２３を並べて配置して表示することとなる。
【００８１】
〔５−１−２．移動案内を示すサービス情報〕
また、配信装置１００は、サービス情報として、端末装置１０の利用者Ｕ１を所定の位置まで案内するための情報を配信してもよい。より具体的には、配信装置１００は、サービス情報として、端末装置１０の利用者Ｕ１を所定の位置まで案内する経路であって、利用者Ｕ１の健康に関する情報に基づいて選択された経路を示す情報を配信してもよい。
【００８２】
例えば、図８は、実施形態に係る健康コンテンツとサービス情報とのバリエーションを示す第２の図である。例えば、配信装置１００は、図１と同様に、利用者Ｕ１の健診結果を示す健康コンテンツＣＴ１１〜ＣＴ１３を配信する。また、配信装置１００は、利用者Ｕ１に対して所定の目的地までの歩行ルートを提供する外部装置５０、すなわち、ナビゲーションに関するサービスを利用者Ｕ１に提供する外部装置５０から、所定の目的地までの経路を示す情報を取得する。
【００８３】
例えば、外部装置５０は、利用者Ｕ１の移動履歴や経路の検索履歴等に基づいて、利用者Ｕ１の自宅の位置を推定する機能を有する。このような場合、配信装置１００は、利用者Ｕ１の自宅までの経路を外部装置５０に要求する。ここで、配信装置１００は、利用者Ｕ１の健診結果のうち、所定の条件を満たす項目を特定する。そして、例えば、配信装置１００は、体重の値が所定の許容範囲を超える場合は、利用者Ｕ１の自宅までの経路であって、歩行ルートが一般的な経路よりも多くなる経路を外部装置５０に要求する。より具体的な例を挙げると、配信装置１００は、利用者Ｕ１の自宅の最寄駅ではなく、最寄駅から１つ手前の駅から自宅までの歩行ルートを外部装置５０に要求する。
【００８４】
そして、配信装置１００は、利用者Ｕ１の自宅の最寄駅から１つ手前の駅から自宅までの歩行ルートを取得すると、取得した歩行ルートとともに、「一駅前から歩きませんか？」等といったウォーキングを推奨する内容のサービス情報ＮＣ１３を生成する。また、配信装置１００は、体重を示す健康コンテンツＣＴ１３の下に配置するサービス情報として、サービス情報ＮＣ１３を配信する。この結果、端末装置１０は、図８に示すように、問題があった項目を示す健康コンテンツＣＴ１３と関連するサービス情報ＮＣ１３として、利用者Ｕ１の健康に関する情報に基づいて選択された経路を示すサービス情報ＮＣ１３を提供することができる。
【００８５】
なお、配信装置１００は、例えば、利用者Ｕ１の現在位置から自宅までの経路において利用される路線上の駅であって、現在位置から所定の距離だけ離れている駅まで回り道を行う歩行ルートを含む経路を外部装置５０に要求してもよい。例えば、配信装置１００は、利用者Ｕ１の近傍に位置する名所（例えば、桜が有名な公園）を検索し、検索した名所を辿って所定の路線の駅まで至る歩行経路を含む経路を外部装置５０に要求してもよい。
【００８６】
また、配信装置１００は、歩行ルートのみならず、例えば、車両、バイク、自転車等といった各種車両の通行経路を提供する外部装置５０から、利用者Ｕ１の健康を示す情報に基づいて選択された経路を取得してもよい。例えば、配信装置１００は、利用者Ｕ１の健康状態が、長時間の運転に不向きである場合は、休息を所定の回数よりも多く設定した経路を取得してもよい。
【００８７】
なお、配信装置１０は、遠回りした経路に従って利用者Ｕ１が徒歩で移動した際の消費カロリーを合わせて表示してもよい。このような処理により、配信装置１００は、利用者Ｕ１に対して健康的な行動を行う動機付けを提供できる。
【００８８】
〔５−１−３．カレンダー等を示すサービス情報〕
また、配信装置１００は、サービス情報として、端末装置１０の利用者Ｕ１の健康に関する情報を時系列に従って示す情報を配信してもよい。例えば、配信装置１００は、利用者Ｕ１の体重が所定の許容範囲を超える場合は、ジムの予定や、体重の目標値をカレンダーやスケジュール上に配置した情報をサービス情報として配信してもよい。
【００８９】
例えば、図９は、実施形態に係る健康コンテンツとサービス情報とのバリエーションを示す第３の図である。例えば、配信装置１００は、図１と同様に、利用者Ｕ１の健診結果を示す健康コンテンツＣＴ１１〜ＣＴ１３を配信する。また、配信装置１００は、利用者の体重が所定の許容範囲を超える場合は、利用者Ｕ１に対して各種のスケジュールやカレンダーに関するサービスを提供する外部装置５０から利用者Ｕ１のスケジュールを取得する。
【００９０】
そして、配信装置１００は、取得したスケジュール中に、ジムの予定やウォーキングの予定、体重を減少させる目標値等を設定したサービス情報ＮＣ１４、すなわち、ダイエットのスケジュールを示すサービス情報ＮＣ１４を生成し、生成したサービス情報ＮＣ１４を健康コンテンツＣＴ１３と関連するサービス情報ＮＣ１４として配信する。この結果、端末装置１０は、図９に示すように、体重を示す健康コンテンツＣＴ１３の下に、ダイエットのスケジュールを示すサービス情報ＮＣ１４を表示することができる。
【００９１】
なお、例えば、配信装置１００は、外部装置５０が利用者Ｕ１の体重管理や健康管理に関するサービスを提供する場合、利用者Ｕ１の体重の遷移を示す折れ線グラフ等を外部装置５０から取得する。そして、配信装置１００は、取得した折れ線グラフを示すサービス情報を生成し、生成したサービス情報を配信してもよい。このような情報を健診結果や健康関連の記事等の間に挿入することで、配信装置１００は、利用者Ｕ１にダイエット等の健康を考慮した行動の動機づけを与えることができる。
【００９２】
〔５−１−４．投稿を示すサービス情報〕
また、配信装置１００は、サービス情報として、端末装置１０の利用者Ｕ１以外の利用者が発信した健康に関する情報を配信してもよい。例えば、配信装置１００は、利用者Ｕ１の体重が所定の許容範囲を超える場合は、利用者Ｕ１の友人がＳＮＳ等に投稿した情報やメッセージとして送信した情報であって、健康に関連する内容の情報をサービス情報として配信してもよい。
【００９３】
例えば、図１０は、実施形態に係る健康コンテンツとサービス情報とのバリエーションを示す第４の図である。例えば、配信装置１００は、図１と同様に、利用者Ｕ１の健診結果を示す健康コンテンツＣＴ１１〜ＣＴ１４を配信する。また、配信装置１００は、利用者の体重が所定の許容範囲を超える場合は、マイクロブログやメッセージの送受信に関連するサービスを提供する外部装置５０から、利用者Ｕ１の友人や利用者Ｕ１と紐付られた利用者の投稿を取得する。
【００９４】
そして、配信装置１００は、取得した投稿の中から健康に関連する内容の投稿を抽出する。例えば、配信装置１００は、利用者Ｕ１の体重が所定の許容範囲を超える場合は、体重に関連する内容の投稿であって、肯定的な内容の投稿を抽出する。例えば、配信装置１００は、利用者Ｕ２の「今回の健診で３ｋｇ痩せてた！！」等といった投稿を抽出する。そして、配信装置１００は、抽出した投稿を示すサービス情報ＮＣ１５を生成し、生成したサービス情報ＮＣ１５を健康コンテンツＣＴ１３と関連するコンテンツとして配信する。この結果、端末装置１０は、図１０に示すように、体重を示す健康コンテンツＣＴ１３の下に、利用者Ｕ１とは異なる利用者が発信した健康に関するサービス情報ＮＣ１５を表示することができる。
【００９５】
〔５−１−５．記事を示すサービス情報〕
また、配信装置１００は、サービス情報として、健康に関連する記事を示すサービス情報を配信してもよい。例えば、図１１は、実施形態に係る健康コンテンツとサービス情報とのバリエーションを示す第５の図である。例えば、配信装置１００は、図１と同様に、利用者Ｕ１の健診結果を示す健康コンテンツＣＴ１１〜ＣＴ１４を配信する。また、配信装置１００は、利用者の体重が所定の許容範囲を超える場合は、各種記事の配信を行う外部装置５０から、体重に関連する記事（例えば、ウォーキングを勧める記事等）を抽出する。
【００９６】
そして、配信装置１００は、図７に示す健康コンテンツＣＴ２１〜ＣＴ２３と同様に、抽出した記事を示すサービス情報ＮＣ１６を生成し、生成したサービス情報ＮＣ１６を、健康コンテンツＣＴ１３と関連するコンテンツとして配信する。この結果、端末装置１０は、図１１に示すように、体重を示す健康コンテンツＣＴ１３の下に、ウォーキングを勧める記事、すなわち、利用者Ｕ１の健康に応じて選択された内容のサービス情報ＮＣ１６を表示することができる。
【００９７】
また、例えば、配信装置１００は、記事の配信を行う外部装置から、利用者Ｕ１が閲覧可能な有料記事を取得する。そして、配信装置１００は、取得した有料記事の中から、新たな健康食品を紹介する記事等、健康に関連する記事を抽出し、抽出した記事を示すサービス情報ＮＣ１６を生成してもよい。
【００９８】
〔５−１−６．購買や消費を示すサービス情報〕
また、配信装置１００は、サービス情報として、サービス情報として端末装置１０の利用者Ｕ１に対して提案する商品または役務に関する情報であって、健康に関連する商品または役務に関する情報を配信してもよい。例えば、図１２は、実施形態に係る健康コンテンツとサービス情報とのバリエーションを示す第６の図である。例えば、配信装置１００は、図１と同様に、利用者Ｕ１の健診結果を示す健康コンテンツＣＴ１１〜ＣＴ１４を配信する。また、配信装置１００は、利用者の体重が所定の許容範囲を超える場合は、レストランに関する情報を提供する外部装置５０から、ヴィーガン等の健康に関連する食事を提供する健康食レストランの情報を取得する。すなわち、配信装置１００は、所定の条件を満たした健康コンテンツと対応する内容の情報を取得する。
【００９９】
そして、配信装置１００は、取得したレストランの情報を示すサービス情報ＮＣ１７を生成する。より具体的には、配信装置１００は、取得したレストランの情報や、レストランの予約を受け付けるウェブコンテンツへのリンクが設定されたボタンを含むサービス情報ＮＣ１７を生成する。そして、配信装置１００は、生成したサービス情報ＮＣ１７を、健康コンテンツＣＴ１３と関連するコンテンツとして配信する。この結果、端末装置１０は、図１２に示すように、体重を示す健康コンテンツＣＴ１３の下に、健康食レストランの情報や予約を受け付けるサービス情報ＮＣ１７を表示することができる。
【０１００】
〔５−１−７．個人財産を示すサービス情報〕
上述した説明では、配信装置１００は、利用者Ｕ１個人の財産に関連するサービスとして、利用者Ｕ１の各種ポイントに関するサービスを提供する外部装置５０から、利用者Ｕ１のポイントに関する情報であって、利用者Ｕ１の健康に関する情報を取得し、取得した情報に基づいて、サービス情報を生成した。ここで、利用者Ｕ１の個人の財産に関する情報は、各種ポイントに関する情報に限定されるものではない。
【０１０１】
例えば、外部装置５０は、利用者の財産に関連するサービスとして、決済、家計簿の管理、投資、融資、保険等の利用者に関する各種の財産関連サービスを提供してもよい。配信装置１００は、このような外部装置５０から利用者Ｕ１の財産に関連する情報であって、利用者Ｕ１の健康に関連する情報に基づく情報を取得し、取得した情報からサービス情報を生成してもよい。
【０１０２】
例えば、配信装置１００は、外部装置５０から保険料に関する情報を取得し、利用者Ｕ１の健診結果が保険料の割引に関する所定の条件を満たす場合、保険料の割引が提供可能である旨のサービス情報を配信してもよい。また、配信装置１００は、外部装置５０から住宅ローンに関する情報を取得し、利用者Ｕ１の健診結果が住宅ローンの利率の割引に関する所定の条件を満たす場合、住宅ローンの利率の割引が提供可能である旨のサービス情報を配信してもよい。また、配信装置１００は、利用者Ｕ１の健診結果に基づいて、利用者Ｕ１の余命を金銭的な数値で示す値を生成し、生成した数値を示すサービス情報を配信してもよい。すなわち、配信装置１００は、利用者Ｕ１の健康と、情報を金銭の損得とに関連する情報をサービス情報として生成し、生成したサービス情報を配信してもよい。
【０１０３】
〔５−１−８．連鎖的な一連のサービス情報を配信する処理について〕
また、配信装置１００は、端末装置１０の利用者Ｕ１による一連の行動に基づいて、連鎖的に関連する一連のサービス情報を生成し、生成したサービス情報を配信してもよい。例えば、配信装置１００は、図７に示すように、健康コンテンツＣＴ２１〜ＣＴ２３と、サービス情報ＮＣ１２とを端末装置１０に配信し、画面上に表示させる。
【０１０４】
ここで、配信装置１００は、利用者Ｕ１がサービス情報ＮＣ１２を選択した場合は、図１１に示すように、健康コンテンツＣＴ１１〜ＣＴ１４と、サービス情報ＮＣ１６とを端末装置１０に配信し、画面上に表示させる。また、配信装置１００は、利用者Ｕ１がサービス情報ＮＣ１６を選択した場合は、図７に示すように、健康コンテンツＣＴ２１〜ＣＴ２３と、サービス情報ＮＣ１２とを端末装置１０に配信し、画面上に表示させる。
【０１０５】
すなわち、配信装置１００は、健康に関連する記事の情報を健康コンテンツとして配信する場合、サービス情報として利用者Ｕ１の健診結果に関連する情報を配信して表示させる。そして、配信装置１００は、利用者Ｕ１が健診結果に関連するサービス情報を選択した場合は、健診結果に関連する情報を健康コンテンツとして配信するとともに、サービス情報おとして、健康に関連する記事の情報を配信する。
【０１０６】
また、配信装置１００は、図１に示すような所定の商品を広告するサービス情報ＮＣ１０を利用者Ｕ１が選択した場合、所定のネット決済サービスを利用して商品の購入を提案するコンテンツや、所定の電子商取引サービスを利用して商品の購入を提案するコンテンツ等をサービス情報として配信し、サービス情報ＮＣ１０が表示されていた位置に表示させてもよい。例えば、配信装置１００は、利用者Ｕ１が利用するサービスに関連するネット決済サービスや電子商取引サービスを利用して商品の購入を提案するコンテンツ等をサービス情報として提供してもよい。
【０１０７】
また、例えば、配信装置１００は、図１２に示すように、健康食レストランを示すサービス情報ＮＣ１７を表示し、利用者が「予約する」を選択した場合は、予約フォームや店までの地図を含むサービス情報を生成する。そして、配信装置１０は、生成したサービス情報を配信することで、サービス情報ＮＣ１７に代えて表示させてもよい。すなわち、配信装置１００は、利用者Ｕ１がサービス情報を選択する行為に基づいて、連鎖的に関連する一連のサービス情報を生成し、生成した一連のサービス情報を配信してもよい。
【０１０８】
〔５−１−９．その他の配信例〕
また、配信装置１００は、流行している情報のうち健康に関する情報をサービス情報として配信してもよい。例えば、配信装置１００は、検索クエリとして入力された回数やＳＮＳ等に投稿された回数が急劇に増加した情報を、検索サービスやＳＮＳサービスを提供する外部装置５０から取得し、取得した情報のうち健康に関する情報を抽出する。そして、配信装置１００は、抽出した情報に基づいてサービス情報を生成し、生成したサービス情報を配信してもよい。
【０１０９】
また、配信装置１００は、緊急を要する情報をサービス情報として配信してもよい。例えば、配信装置１００は、健康に関連する記事を健康コンテンツとして配信し、健診結果に関するするサービスを提供する外部装置５０から健診結果を取得する。そして、配信装置１００は、取得した健診結果が重篤な症状を示す場合、重篤な健康不調がある旨のサービス情報を生成し、生成したサービス情報を配信してもよい。
【０１１０】
また、配信装置１００は、同じ位置に挿入される複数のサービス情報を配信してもよい。例えば、配信装置１００は、図１に示すサービス情報ＮＣ１０、ＮＣ１１を連続して配置して表示させてもよい。また、配信装置１００は、電子商取引に関するサービスを提供する外部装置５０や、ポイントに関するサービスを提供する外部装置５０と連携して、期限切れのポイントを用いた商品の購入に関する情報をサービス情報おとして提供してもよい。例えば、利用者Ｕ１が有するポイントのうち期限切れのポイントが存在する場合は、かかるポイントで広告に関連する商品を購入可能であるか否かを判定し、購入可能である場合は、期限切れのポイントで広告に関連する商品が購入可能である旨を示すサービス情報ＮＣ１１を配信してもよい。
【０１１１】
〔５−２．カテゴリについて〕
また、配信装置１００は、健康コンテンツやサービス情報をカテゴリ毎に分類して表示してもよい。例えば、配信装置１００は、健診結果を示すカテゴリが選択された場合は、健診結果を健康コンテンツとして表示するとともに、健康に関連する記事をサービス情報として配信し、健康に関連する記事を示すカテゴリが選択された場合は、健康に関連する記事を健康コンテンツとして表示するとともに、健診結果を示すサービス情報を配信してもよい。
【０１１２】
〔５−３．サービスについて〕
ここで、外部装置５０が提供するサービスは、健康コンテンツを配信するサービス以外のサービスであれば、任意のサービスが適用可能である。例えば、外部装置５０が提供するサービスは、メールサービス、気象情報サービス、地震情報サービス、トレンドに関するサービス、音楽配信サービス、動画配信サービス、株価情報サービス、通話サービス、または位置情報サービス等であってもよい。
【０１１３】
すなわち、配信装置１００は、各種の広告のみならず、サービス情報の配信先となる利用者が利用するサービスであれば、任意のサービスに関連する情報をサービス情報として配信してもよい。例えば、配信装置１００は、同一のＩＤに関連付けられた複数のサービス間で行われる各種の通知をサービス情報として配信してもよい。また、例えば、サービス情報は、一のＩＤに関連付けられたサービス間における通知情報であってもよい。例えば、配信装置１００は、利用者Ｕ１が共通のＩＤ（例えば「Ｕ１」）を用いて配信サービスや他のサービス（例えば予約サービス等）の提供を受ける場合、共通のＩＤを用いる配信サービスのコンテンツとともに共通のＩＤを用いる他のサービスに関する通知情報が一覧表示されるように、通知情報を配信してもよい。この場合、例えば、共通のＩＤを用いて利用者に利用されるサービスＡのコンテンツとともに共通のＩＤを用いて利用者に利用されるサービスＢの通知情報が表示され、サービスＢのコンテンツとともにサービスＡの通知情報が表示されてもよい。このように、共通のＩＤにより利用されるサービス間で通知情報を相互に提供してもよい。
【０１１４】
〔５−４．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１５】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１６】
また、上記してきた各実施形態は、処理内容を矛盾させない範囲で適宜組み合わせることが可能である。
【０１１７】
〔５−５．ハードウェア構成〕
上述してきた実施形態に係る配信装置１００は、例えば図１３に示すような構成のコンピュータ１０００によって実現される。図１３は、配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１９】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１２０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２２】
例えば、コンピュータ１０００が実施形態に係る配信装置１００及び変形例１、２に係る配信装置２００として機能する場合、コンピュータ１０００のＣＰＵ１１００は、ＲＡＭ１２００上にロードされたプログラムを実行することにより、制御部１３０、２３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１２３】
〔６．効果〕
上述したように、配信装置１００は、健康に関連する健康コンテンツを一覧表示する端末装置１０に、健康コンテンツの配信サービス以外であって利用者が利用するサービスに関する情報であって、健康コンテンツ間に差し込まれ、健康コンテンツとともに一覧表示されるサービス情報を配信する。この結果、配信装置１００は、健康コンテンツを閲覧する利用者に対して、サービス情報を提供するので、利用者に対して健康に関連する情報を適切に提供することができる。
【０１２４】
また、配信装置１００は、サービス情報として、健康コンテンツの内容と関連する内容の情報を配信する。例えば、配信装置１００は、サービス情報として、一覧表示される健康コンテンツのうち関連する内容の健康コンテンツと隣接する位置に差し込まれるサービス情報を配信する。また、配信装置１００は、サービス情報として、一覧表示される健康コンテンツが所定の条件を満たす場合に健康コンテンツ間に差し込まれ、健康コンテンツとともに一覧表示されるサービス情報を配信する。このため、配信装置１００は、利用者にサービス情報の内容を自然なつながりで提供することができるので、利用者に対して健康に関連する情報を適切に提供することができる。
【０１２５】
また、配信装置１００は、健康コンテンツとして端末装置１０の利用者の健診結果に関連する情報を一覧表示する端末装置１０に、サービス情報を配信する。このため、配信装置１００は、健診結果を閲覧する利用者に対し、各種の健康に関連する情報を提供できる。
【０１２６】
また、配信装置１００は、健康コンテンツとして健康に関連する記事の情報を一覧表示する端末装置１０に、サービス情報を配信する。このため、配信装置１００は、健康に関連する記事を閲覧する利用者に対し、各種の健康に関連する情報を提供できる。
【０１２７】
また、配信装置１００は、サービス情報として健康に関連する記事の情報を配信する。このため、配信装置１０は、健康コンテンツを閲覧する利用者に対し、各種の健康に関連する情報を提供できる。
【０１２８】
また、配信装置１００は、サービス情報として端末装置１０の利用者の健診結果に関連する情報を配信する。このため、配信装置１０は、健康コンテンツを閲覧する利用者に対し、健診結果を提供できるので、利用者に健康に関する気づきや、健康に関連する行動の動機づけを与えることができる。
【０１２９】
また、配信装置１００は、サービス情報として端末装置１０の利用者を所定の位置まで案内するための情報を配信する。例えば、配信装置１００は、サービス情報として端末装置１０の利用者を所定の位置まで案内する経路であって、その利用者の健康に関する情報に基づいて選択された経路を示す情報を配信する。このため、配信装置１００は、利用者に対し、ウォーキング等といった健康に関連する行動の動機づけを与えることができる。
【０１３０】
また、配信装置１００は、サービス情報として端末装置１０の利用者の健康に関する情報を時系列に従って示す情報を配信する。このため、配信装置１００は、利用者に対し、健康に関連する行動の目標を示す時系列的な情報を提供することができる。
【０１３１】
また、配信装置１００は、サービス情報として端末装置１０の利用者以外の利用者が発信した健康に関する情報を配信する。また、配信装置１００は、サービス情報として端末装置１０の利用者の財産に関連する情報であって、端末装置１０の利用者の健康に関する情報に基づいて生成された情報を配信する。このため配信装置１００は、利用者に対し、健康に関連する行動の動機づけを与えることができる。
【０１３２】
また、配信装置１００は、サービス情報として端末装置１０の利用者に対して提案する商品または役務に関する情報であって、健康に関連する商品または役務に関する情報を配信する。このため、配信装置１００は、各種の健康コンテンツを閲覧する利用者に対し、健康に関連する商品または役務に関する情報を提供するので、健康に関連する商品または役務に関する情報の訴求効果を向上させることができる。
【０１３３】
また、配信装置１００は、端末装置１０の利用者による一連の行動に基づいて、連鎖的に関連する一連のサービス情報を生成し、生成したサービス情報を配信する。このため、配信装置１００は、利用者Ｕ１に対して関連する一連のサービス情報を提供する結果、健康に関連する行動の動機づけを与えることができる。
【０１３４】
また、配信装置１００は、健康コンテンツ間に差し込まれ、健康コンテンツとともに一覧表示される複数のサービス情報を配信する。また、配信装置１００は、サービス情報として、利用者が利用するサービスに関する情報であって、健康コンテンツ間に予め差し込まれ、健康コンテンツとともに一覧表示される情報を配信する。このため、配信装置１００は、利用者に対して健康に関連する情報を適切に提供することができる。
【０１３５】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３６】
また、上記してきた「部（section、module、unit）」は、「手段」や「回路」などに読み替えることができる。例えば、配信部は、配信手段や配信回路に読み替えることができる。
【符号の説明】
【０１３７】
１００  配信装置
１２１  健康コンテンツ情報記憶部
１３０  制御部
１３１  受付部
１３２  生成部
１３３  配信部
１０  端末装置
【図１】
2018097605.tif 000003
【図２】
2018097605.tif 000004
【図３】
2018097605.tif 000005
【図４】
2018097605.tif 000006
【図５】
2018097605.tif 000007
【図６】
2018097605.tif 000008
【図７】
2018097605.tif 000009
【図８】
2018097605.tif 000010
【図９】
2018097605.tif 000011
【図１０】
2018097605.tif 000012
【図１１】
2018097605.tif 000013
【図１２】
2018097605.tif 000014
【図１３】
2018097605.tif 000015